(57)【特許請求の範囲】
【請求項１】
背面の上部に排気口を有する筐体と、
前記筐体内に設けられ、内部に被加熱物を加熱する加熱部を有する調理室と、
前記調理室の背面から前記筐体の排気口の近傍まで延びて設けられた排気ダクトと、
前記排気ダクトの底面に取り付けられ、内部に空気吸引ファンを有する空気吸引ダクトと、
前記排気ダクトとで空間を形成し、前記筐体内の冷却風を当該空間を介して前記排気口から排出する排気風路とを備え、
前記排気ダクトは、前記調理室の背面に接続された水平部と、前記水平部から上方にＬ字状に折り曲げられて前記筐体の排気口の近傍まで延びる垂直部と、前記水平部の底面のうち前記垂直部の上部開口部と対向する部分に設けられた空気流入口とを有し、
前記空気吸引ダクトは、上面が前記水平部の底面と接合され、当該上面に前記空気流入口と密閉状態で連通される吹出口を有し、前記空気吸引ファンの駆動による吸引空気を前記吹出口から前記空気流入口に流入させ、前記排気ダクトの水平部内の空気を介して前記調理室内の空気を誘引させ、
前記排気風路は、前記排気ダクトの垂直部の上部側の両側面及びＬ字の内側面との間に空間を有して前記筐体の排気口近傍まで延びて設けられ、前記筐体内に設置された冷却ファンから送出された前記筐体内の冷却風を前記空間内に流入させて、当該空間の前記垂直部の上部開口側に位置する出口をスリット状のノズルとして上方へ噴出させ、前記排気ダクトの垂直部の上部開口からの空気を誘引して前記排気口から排出することを特徴とする加熱調理器。
【請求項２】
前記排気ダクトの上部開口部の位置が前記排気風路の上部より低いことを特徴とする請求項１記載の加熱調理器。
【発明の詳細な説明】
【技術分野】
【０００１】
本発明は、例えば、ヒータ等の発熱体で魚等の被加熱物を焼いたり、蒸す等の調理をする調理室を備えた加熱調理器に関するものである。
【背景技術】
【０００２】
従来から、調理室を用いて調理を行っているとき、魚等の被加熱物から発生する臭気成分や油煙等の汚染物質が調理室内から本体外に排出される。その室内空気汚染を軽減するために、調理室内の空気を吸引して本体外へ排出する排気風路に酸化触媒を含むフィルター等の空気清浄手段を設けて汚染物質の濃度を低減して排気を行っている。200℃ 以上の高温の調理室内の空気を直接送風機で吸引する場合、送風機を金属製等の耐熱性部品で構成することや、送風機の駆動手段である電動機等を冷却する必要がある。そのため、耐久性や製品コストが高くなる等の課題があった。これを解決するために、調理室内の空気を排気風路へ誘引する手段として、空気エゼクタの原理を利用して送風機からの気流を排気風路内に送風して調理室内の空気を誘引している（例えば、特許文献１参照）。
【先行技術文献】
【特許文献】
【０００３】
【特許文献１】特開２００７−１７０３３号公報（第６頁、図５）
【発明の概要】
【発明が解決しようとする課題】
【０００４】
しかしながら、前述した特許文献１の加熱調理器においては、送風機を用いて筐体内の空気を吸引して気流を生じさせ、その気流を排気風路に送風している。そのため、調理室の周辺部の筐体内の空気温度及び調理室の壁面からの放射による伝熱により、送風機の温度は高温となり、耐熱温度の高い送風機を使用しなくてはならず、コスト高となる。また、送風機と排気風路の流入口の間が開放された風路であるため、その気流が分散してしまうことや気流が再度送風機に吸引されて循環してしまう。そのため、十分な調理室からの排気の誘引性能（風量）が得られない。また、送風機の送風にロスが多いことから必要以上の風量を送風しなくてはならず、送風機負荷が高まり、送風機の騒音が増大する課題があった。
【０００５】
本発明は、前記のような課題を解決するためになされたもので、第１の目的は、調理室からの空気の誘引性能を高めて送風機の送風負荷を低減し、送風機騒音を低下させることができる加熱調理器を得るものである。
第２の目的は、加熱調理機の動作音を低くすると共に、耐熱温度の低い低コストの送風機を用いることで、簡易な構造で低コストの加熱調理器を得るものである。
【課題を解決するための手段】
【０００６】
本発明に係る加熱調理器は、背面の上部に排気口を有する筐体と、筐体内に設けられ、内部に被加熱物を加熱する加熱部を有する調理室と、調理室の背面から筐体の排気口の近傍まで延びて設けられた排気ダクトと、排気ダクトの底面に取り付けられ、内部に空気吸引ファンを有する空気吸引ダクトと、排気ダクトとで空間を形成し、筐体内の冷却風を空間を介して排気口から排出する排気風路とを備え、排気ダクトは、調理室の背面に接続された水平部と、水平部から上方にＬ字状に折り曲げられて筐体の排気口の近傍まで延びる垂直部と、水平部の底面のうち垂直部の上部開口部と対向する部分に設けられた空気流入口とを有し、空気吸引ダクトは、上面が水平部の底面と接合され、その上面に空気流入口と密閉状態で連通される吹出口を有し、空気吸引ファンの駆動による吸引空気を吹出口から空気流入口に流入させ、排気ダクトの水平部内の空気を介して調理室内の空気を誘引させ、排気風路は、排気ダクトの垂直部の上部側の両側面及びＬ字の内側面との間に空間を有して筐体の排気口近傍まで延びて設けられ、筐体内に設置された冷却ファンから送出された筐体内の冷却風を空間内に流入させて、その空間の垂直部の上部開口側に位置する出口をスリット状のノズルとして上方へ噴出させ、排気ダクトの垂直部の上部開口からの空気を誘引して排気口から排出する。
【発明の効果】
【０００７】
本発明によれば、排気ダクトの底面に設けられた空気流入口と空気吸引ダクトの吹出口とが密接して連通されているので、空気吸引ファンの駆動による吸引空気が筐体内に拡散したり、再び空気吸引ファンに吸引されて循環するということが無くなる。そのため、調理室内からの空気の誘引性能が高められ、空気吸引ファンの送風効率が向上し、さらに、低風量の送風で済み、空気吸引ファンの負荷が軽減されて低騒音とすることができる。
また、排気風路を、排気ダクトの垂直部の少なくとも上部側の両側面及びＬ字の内側面との間の一部に空間を有して筐体の排気口近傍まで延びて設け、筐体内に設置された冷却ファンから送出された筐体内の冷却風を排気風路の空間内に通過させて、その空間の出口をスリット状のノズルとして上方へ噴出させ、排気ダクト内の空気を誘引して排気口から排出するようにしている。このため、より空気吸引ファンの送風機負荷を軽減でき、低騒音にすることが可能になる。
【図面の簡単な説明】
【０００８】
【図１】実施の形態１に係る加熱調理器の外観を示す斜視図である。
【図２】図１に示すトッププレートと吸排気口カバーを取り外した状態の斜視図である。
【図３】図２に示す筐体上面部及び片側の誘導加熱コイルユニットを取り外した状態の斜視図である。
【図４】実施の形態１に係る加熱調理器の基板ケースユニットを示す斜視図である。
【図５】実施の形態１に係る加熱調理器を底面側から見て示す斜視図である。
【図６】実施の形態１に係る加熱調理器の調理室の上面及び前面扉を取り外して示す斜視図である。
【図７】実施の形態１に係る加熱調理器の排気ダクト及び空気吸引ダクトを組み立てて示す斜視図である。
【図８】図７に示す排気ダクトと空気吸引ダクトを分解した状態の斜視図である。
【図９】実施の形態１に係る加熱調理器の側面を切断して示す断面図である。
【図１０】実施の形態２に係る加熱調理器の上側の各部品を取り外して示す斜視図である。
【図１１】実施の形態２に係る加熱調理器を底面側から見て示す斜視図である。
【図１２】実施の形態２に係る加熱調理器の調理室の上面及び前面扉を取り外して示す斜視図である。
【図１３】実施の形態２に係る加熱調理器の排気ダクト及び空気吸引ダクトを組み立てて示す斜視図である。
【図１４】図１３に示す排気ダクトと空気吸引ダクトを分解した状態の斜視図である。
【図１５】実施の形態２に係る加熱調理器の側面を切断して示す断面図である。
【発明を実施するための形態】
【０００９】
実施の形態１．
図１は実施の形態１に係る加熱調理器の外観を示す斜視図である。
図１において、加熱調理器の本体１の筐体２の上側には、筐体上面部３が着脱自在に取り付けられている。筐体上面部３の後部には吸排気口カバー５が着脱自在に設置され、筐体上面部３の前部には操作部６が設けられている。また、筐体上面部３の吸排気口カバー５と操作部６との間にはトッププレート４が取り付けられている。トッププレート４の上面は鍋やフライパンなどの被加熱物（図示せず）が載置される。筐体１の前面の両側には操作部６が設けられ、その中央には調理室７の前面扉が配置されている。
【００１０】
前述の吸排気口カバー５は、通気性があり、吸気と排気がスムーズに行われる構造となっている。なお、本実施の形態では、トッププレート４上においても加熱調理が可能な構成としているが、トッププレート４を使用した調理機能は必要に応じて搭載すればよく、トッププレート４を必要としない調理室７のみの単純な外装でもよい。
【００１１】
図２は図１に示すトッププレートと吸排気口カバーを取り外した状態の斜視図である。
図２において、筐体上面部３の後部中央には筐体排気口９（排気口）が設けられ、筐体上面部３の筐体排気口９の両側には筐体吸気口８がそれぞれ設けられている。筐体排気口９の中には上部開口部３２が配置されている。その上部開口部３２は、調理室７の背面に取り付けられた調理室排気ダクト１０の排気口である。前述した筐体排気口９及び筐体吸気口８は、通常の使用状態においては吸排気口カバー５によって覆われている。
【００１２】
筐体２内の前部側には２つの誘導加熱コイルユニット１１が配置され、後部側の中央にはラジエントヒーター１３が配置されている。これらは、トッププレート４上に載置される被加熱物を加熱するために使用される。誘導加熱コイルユニット１１及びラジエントヒーター１３の下方には、調理室７が配置されている。調理室７は、本体１の前面中央までを含めて構成され、調理室７内の空間にて魚等を焼いたり、食材を蒸したりする等の加熱調理・スチーム調理等に使用されている。
【００１３】
図３は図２に示す筐体上面部及び片側の誘導加熱コイルユニットを取り外した状態の斜視図である。
図３において、前述した調理室排気ダクト１０の上部開口部３２は、排気風路１４の上部とほぼ同じ高さに配置されている。これは、調理室７からの空気（排気）が上部開口部３２から出た後、すぐに筐体排気口９から筐体２外へ排出されるようにするためである。これにより、調理室７からの空気が排気風路１４内に流入して拡散し筐体２内を汚すようなことはない。
【００１４】
調理室７の両側にはそれぞれ基板ケースユニット１５が配置されている。基板ケースユニット１５の吸込口１５ａは、前述したように筐体排気口９の両側に配置された筐体吸気口８と接続されている。誘導加熱コイルユニット１１の下方には、複数の吹出口１７が設けられたチャンバ１６が配置されている。このチャンバ１６は、基板ケースユニット１５の排気口と接続されている。筐体吸気口８を介して吸込口１５ａに吸い込まれた冷却風は、基板ケースユニット１５を通過した後、基板ケースユニット１５の排気口からチャンバ１６に流入し、吹出口１７より吹出される。そして、その冷却風は、上方の誘導加熱コイルユニット１１を冷却した後、筐体２の背面に設けられた排気風路１４を通過して筐体排気口９より排出される。
【００１５】
図４は実施の形態１に係る加熱調理器の基板ケースユニットを示す斜視図である。なお、基板ケースユニット１５は、前述したように調理室７の両側に配置されて、構成がほぼ対称になっているので、本体１を前面から見て右側の基板ケースユニット１５を用いて説明する。
【００１６】
図４において、基板ケースユニット１５には、冷却ファン１８が備えられ、内部に電子部品が実装された電子回路基板１２が納められている。電子回路基板１２には、発熱を伴い冷却が必要な被冷却物となる電子部品も含まれ、冷却効率を高めるためにヒートシンク（冷却フィン）を備えるものもある。
【００１７】
基板ケースユニット１５は、吸込口１５ａから排気口に至る一体の風路として形成されている。冷却ファン２３が動作することにより、外気の冷却風が筐体吸気口８を介して吸込口１５ａに流入し、冷却ファン１８を通過して内部の電子回路基板１２の被冷却物を冷却した後、基板ケースユニット１５の排気口より排出され、チャンバ１６に至る。
【００１８】
図５は実施の形態１に係る加熱調理器を底面側から見て示す斜視図である。
図５において、筐体２の底面に外気取入口１９が設けられている。その外気取入口１９は、本体１の幅方向に配列された複数のスリットからなっている。外気取入口１９は、筐体２外の空気を取り入れるためのもので、調理室排気ダクト１０に固着された空気吸引ダクト２０の外気吸込口３０と接続されている。なお、本実施の形態においては、外気取入口１９を筐体２の底面に設けたことを述べたが、筐体２内の調理室７や基板ケースユニット１５等の配置によっては筐体の上面や側面に外気取入口１９を設けてもよい。
【００１９】
図６は実施の形態１に係る加熱調理器の調理室の上面及び前面扉を取り外して示す斜視図である。
図６において、調理室７内の上部には加熱部である上シーズヒーター２１が配置され、上シーズヒーター２１の下方には被加熱物を載置する調理台２２が配置されている。さらに、その調理台２２の下方にはもう一つの加熱部である下シーズヒーター２３が配置され、下シーズヒーター２３の下方に受け皿２４が設けられている。調理室７の背面には、調理室排気口２５が設けられ、さらに、調理室排気口２５を吸引口とする調理室排気ダクト１０が取り付けられている。調理室排気ダクト１０の下面には、前述の空気吸引ダクト２０が取り付けられている。
【００２０】
なお、本実施の形態においては、上シーズヒーター２１と下シーズヒーター２３により調理台２２に載置された被加熱物を上下方向より一度で加熱する構成となっているが、調理室７内の上部または下部の何れかにシーズヒーターを設けてもよい。このようにシーズヒーターを配置した場合、被加熱物の上下を反転させる等により同様の加熱調理が可能であり、シーズヒーターの数や配置によらず同様の効果は得られる。また、本実施の形態においては、調理室７内の加熱部としてシーズヒーターを用いているが、これに限定されるものではなく、例えばカーボンヒーターやセラミックヒーター等の電気的な抵抗を有する加熱部や、マグネトロンのような高周波を用いる加熱部でもよい。つまり、食材を加熱調理できる加熱部であれば特に制約はなく同様の効果が得られるものであればよい。
【００２１】
図７は実施の形態１に係る加熱調理器の排気ダクト及び空気吸引ダクトを組み立てて示す斜視図である。
図７において、調理室排気ダクト１０の調理室７側の内部にはフィルター２７が配置され、そのフィルター２７の手前側にはフィルター２７を加熱するためのシーズヒーター２６が配置されている。空気吸引ダクト２０の内部には、例えば２台の空気吸引ファン２８（プロペラファン）が幅方向に並列に設けられている。また、空気吸引ダクト２０の吸引側の両側面の下部には冷却風吸込口２９が設けられている。さらに、空気吸引ダクト２０の吸引側の筐体２の底面と対向する面には外気吸込口３０が設けられている。その外気吸込口３０は、前述したように筐体２の底面に設けられた外気取入口１９と接続されている。空気吸引ダクト２０の空気吸引ファン２８の空気流出側の上面には吹出口２０ａが設けられている。吹出口２０ａは、調理室排気ダクト１０の底面にほぼ密閉状態で接続され、調理室排気ダクト１０の空気流入口３１と連通されている。
【００２２】
なお、本実施の形態においては、冷却風吸込口２９を空気吸引ダクト２０の吸引側の両側面の下部に設けたことを述べたが、筐体２内の調理室７や基板ケースユニット１５等の配置によっては空気吸引ダクト２０の吸引側の上面あるいは背面に冷却風吸込口２９を設けるようにしてもよい。また、本実施の形態においては、調理室排気ダクト１０のフィルター２７側にシーズヒーター２６を設けているが、これは、必要に応じて設ければ良く、シーズヒーター２６の有無に関わらず本発明の効果は同様に得られる。さらに、空気吸引ダクト２０には、２台のプロペラファン（空気吸引ファン２８）が並列に設けられていることを述べたが、適切な送風能力があれば、シロッコファンやターボファン等の遠心ファンでもよく、ファンの数も必要な送風能力に応じて設けてもよく、これに限定されるものではない。
【００２３】
図８は図７に示す排気ダクトと空気吸引ダクトを分解した状態の斜視図である。
図８において、調理室排気ダクト１０は、ほぼＬ字状に形成され、調理室７側に延びる水平部とその水平部から上方にＬ字状に折り曲げられてなる垂直部とで構成されている。調理室排気ダクト１０の水平部の底面のうち垂直部の上部開口部３２と対向する部分には、幅方向に延びる長方形状の空気流入口３１が設けられている。調理室７からの空気は、調理室排気ダクト１０の垂直部の上部開口部３２より排出される。
【００２４】
なお、本実施の形態においては、空気流入口３１は単純な長方形の穴であるが、空気吸引ダクト２０からの空気流を調理室排気ダクト１０内に導入できる形状であればこれに限るものではない。例えば、複数の円形の穴や多角形の穴、立体的なスリットノズルや円形ノズルを用いたものでもよく、後述するエゼクタとして機能すればよい。
【００２５】
図９は実施の形態１に係る加熱調理器の側面を切断して示す断面図である。
図９において、調理室排気ダクト１０の垂直部の上部側の両側面及びＬ字の内側面と排気風路１４の内面との間に冷却風が通風可能な風路（空間）が形成されている。その風路は、筐体排気口９の手前にて調理室排気ダクト１０の上部開口部３２と合流している。調理室７には、壁面や前面扉等に適度の開口（図示せず）が設けられており、調理室７に圧力損失が少なく外気を流入することができ、排気を妨げることはない。
【００２６】
次に、本実施の形態の加熱調理器の動作について説明する。なお、ここでは、本発明と関わる調理室を用いて加熱調理を行っているときの動作を説明する。
調理室７内で加熱調理を行うと、被加熱物である食材から油煙や臭気成分が発生したり、食材からの汁気や脂分が受け皿２４や下シーズヒーター２３と接触して揮発し、油煙や臭気成分が発生して調理室７内に拡散する。その拡散した油煙や臭気成分は、調理室排気口２５から調理室排気ダクト１０に流入し、フィルター２７により浄化されて濃度が低減される。その後、調理室排気ダクト１０の上部開口部３２から筐体排気口９を経て筐体２外へ排出される。
【００２７】
前述した油煙や臭気成分は、フィルター２７に添着された触媒をシーズヒーター２６で加熱して酸化分解能を行わせることにより浄化される。フィルター２７の種類によっては、本実施の形態とは異なる浄化手段で油煙や臭気成分を浄化するものや、シーズヒーター２６を設けない場合もあるが、フィルター２７の浄化手段やシーズヒーター２６の有無によらず本発明の効果は同様に得られる。
【００２８】
次に、調理室内からの油煙や臭気成分を吸引して筐体外へ排出するときの動作について説明する。
まず、筐体２内全体の冷却風の流れについて説明する。
調理室７で加熱調理を行っているとき、調理メニューによって異なるが一例としては、上下のシーズヒーター２１、２３は500〜800℃に発熱し、調理室７内の温度は200〜300℃となる。調理室７の壁面は一定の断熱手段を備えていても、放射や熱伝達により筐体２内の温度は上昇する。筐体２内の温度が上昇すると、本加熱調理器を構成する各部品が機能しなくなることや寿命が短くなることを回避するために、冷却ファン１８により筐体２内の各部品が耐熱温度以下となるよう冷却されている。
【００２９】
冷却ファン１８が動作しているときは、外部の空気が吸排気口カバー５を通過して、筐体吸気口８から吸込口１５ａに流入し、冷却ファン１８を介して基板ケースユニット１５内の電子回路基板１２に実装された電子部品等を冷却する。その後、その冷却風は基板ケースユニット１５の排気口から送出されチャンバ１６に流入する。流入した冷却風は、チャンバ１６の上面の吹出口１７から吹出され、上方に配置された誘導加熱コイルユニット１１の冷却を行った後、筐体２の背面側の排気風路１４に至る。そして、筐体２の筐体排気口９から吸排気カバー５を経て筐体２外へ排出される。
【００３０】
排出される空気の温度は、排気に人が触れても問題無い温度ではあるが、室温と比較すると高温となっており、筐体２内の温度も同様に室温よりも高温となっている。また、筐体２内には冷却ファン１８により空気が押し込まれていることから、筐体２外の外気と比べ圧力が高い状態となっている。本実施の形態においては、冷却風の流れは前記の通りであるが、筐体吸気口８、冷却ファン１８、基板ケースユニット１５等の配置や順序はこれに限定されるものではない。例えば、調理室７を筐体２内の片側の側面に寄せて配置し、反対側の側面に基板ケースユニット１５や冷却ファン１８を配置し、冷却ファン１８からの送風が基板ケースユニット１５とチャンバ１６に並列に送風されるようにしてもよい。つまり、冷却ファン１８により筐体２内に冷却風が押し込まれる構成であればよく、同様の効果が得られる。
【００３１】
次に、調理室７内の排気の流れについて説明する。
調理室７内の空気の吸引・排気は２ヶ所に設けられた空気エゼクタが機能することにより行われる。
一つ目は、冷却風を調理室排気ダクト１０内の空気の誘引流体として利用している。これは、排気風路１４と調理室排気ダクト１０との間に形成された風路に冷却風が流れ込んで上方に噴出されることにより、排気風路１４の出口がほぼスリット状のノズルと見なすことができる。その風路内への冷却風の流入により噴流及び負圧領域が調理室排気ダクト１０の上部開口部３２の周囲や上方を覆うことで、調理室排気ダクト１０内の空気が誘引され、筐体排気口９から冷却風と共に排出される。
【００３２】
二つ目は、空気吸引ファン２８から送出された空気を調理室排気ダクト１０内の空気の誘引流体として利用している。この場合は、調理室排気ダクト１０の空気流入口３１から上部開口部３２に向かって空気吸引ファン２８からの空気が噴出されることにより、空気流入口３１がスリット状のノズルとして機能する。調理室排気ダクト１０内に噴流が形成されることによりエゼクタとして機能し、調理室排気ダクト１０の水平部内の空気を介して調理室７内の空気を誘引する。
【００３３】
空気流入口３１がスリット状のノズルであることから、空気を通過させるには相応の圧力が必要となり、空気吸引ファン２８の吹出側から空気流入口３１に至る風路は、一定の気密性が保たれるように調理室排気ダクト１０と空気吸引ダクト２０が接合されている。誘引流体としての空気が拡散して空気流入口３１に十分に流入せず、エゼクタの性能が低下して必要な誘引風量が得られないことが無いよう構成されている。
【００３４】
また、空気吸引ファン２８に吸引される空気は、空気吸引ダクト２０の冷却風吸引口２９から吸引される筐体２内の冷却風と、筐体２の底面の外気取入口１９から吸引される筐体２外の外気とが混合される。空気吸引ダクト２０の冷却風吸引口２９からの吸引は、冷却ファン１８により筐体２内の圧力が上昇していることにより、筐体２外から吸引する場合と比べ空気吸引ファン２８の送風機負荷を低減できるメリットがある。一方、筐体２内の冷却風の温度は高く空気吸引ファン２８に高い耐熱性が求められることや、寿命・信頼性の面でデメリットとなる。本実施の形態においては、空気吸引ダクト２０の冷却風吸引口２９を筐体２の底面近傍に設けているので、同じ筐体２内でも温度は高い傾向にある上層からの吸気に比べ、比較的に低い温度の冷却風を吸気している。
【００３５】
外気取入口１９からの吸引は、筐体２内と比べ空気吸引ファン２８の送風機負荷は高くなるデメリットはあるが、筐体２内と比べ吸引される空気の温度は低くなり、空気吸引ファン２８の耐熱性を低くできることや、寿命・信頼性の面でメリットとなる。空気吸引ダクト２０の冷却風吸引口２９と外気取入口１９の開口面積を所定の比率（本実施の形態においては１：３〜１：６）として混合して吸引することにより、空気吸引ファン２８をファンメーカーが標準品として製品化している低コストな使用環境温度が８５℃仕様のものを使用可能とすることができる。また、冷却ファン１８の圧力を利用して空気吸引ファン２８の送風機負荷を軽減できる。
【００３６】
以上のように実施の形態１によれば、吹出口２０ａと空気流入口３１とが密閉状態で接続されるように空気吸引ダクト２０と調理室排気ダクト１０とが接合されている。これにより、空気吸引ファン２８から送出される誘引流体としての空気が筐体２内に拡散することなく空気流入口３１から調理室排気ダクト１０内に噴出させることができる。そのため、空気吸引ファン２８による送風を無駄なく行うことが可能になり、送風機負荷を低減でき、送風機騒音を下げることができ、動作騒音の低い加熱調理器を提供できる。
【００３７】
また、空気吸引ファン２８により吸引される空気が、空気吸引ダクト２０に設けられた冷却風吸込口２９に流入する筐体２内の冷却風と外気吸込口３０に流入する筐体２外の外気とが混合されたものであるため、空気吸引ファン２８を耐熱温度の低い低コストのものを使用できる。また、冷却ファン１８の送風によって圧力の加わった冷却風が冷却風吸込口２９に流入するようにしているので、空気吸引ファン２８の送風機負荷を軽減でき、低騒音にすることが可能になる。そのため、製品コストを抑えることができ、動作騒音の低い加熱調理器を提供できる。
【００３８】
また、空気吸引ダクト２０の冷却風吸込口２９を筐体２の底面近傍に設けたので、冷却風吸込口２９から吸込む空気（冷却風）の温度を低くすることができ、低コストの空気吸引ファン２８の使用温度内において、冷却風吸込口２９から吸込む空気の比率を増やすことができる。また、冷却ファン１８の冷却風の送風による圧力を利用可能となり、さらに、空気吸引ファン２８の送風機負荷を軽減でき、低騒音とすることが可能になり、より動作騒音の低い加熱調理器を提供できる。
【００３９】
また、空気吸引ダクト２０の冷却風吸込口２９と外気取入口１９の開口面積の比を１：３〜１：６としたので、冷却風吸込口２９からの吸気風量と外気取入口１９からの吸気風量の混合比率を最適化でき、低コストの空気吸引ファン２８の使用温度内において、冷却風吸込口２９から吸込む空気の比率を最も増やすことができる。そのため、冷却ファン１８の冷却風の送風による圧力をより有効に利用できる。さらに、空気吸引ファン２８の送風機負荷を軽減でき、低騒音とすることが可能になり、より動作騒音の低い加熱調理器を提供できる。
【００４０】
また、調理室排気ダクト１０と排気風路１４との間に形成された風路に冷却風が流れ込んで上方に噴出されるようにしたので、冷却風が誘引流体となり空気エゼクタの効果で調理室排気ダクト１０内の空気を誘引し、調理室排気ダクト１０の排気がアシストされる。そのため、空気吸引ファン２８から送出される空気を誘引流体とした調理室排気ダクト１０内での空気エゼクタの効果による誘引能力を低くできる。また、空気吸引ファン２８の風量を減らせ、送風機負荷を軽減でき、低騒音とすることが可能になり、より動作騒音の低い加熱調理器を提供できる。
【００４１】
また、調理室排気ダクト１０と排気風路１４との間の風路に筐体２内の冷却風を通過させてその冷却風を調理室排気ダクト１０内の空気の誘引流体としている。さらに、空気吸引ダクト２０の冷却風吸込口２９に流入する筐体２内の冷却風と外気吸込口３０に流入する筐体２外の外気との混合空気を調理室排気ダクト１０内の空気の誘引流体として使用している。これらにより、より空気吸引ファン２８の送風機負荷を軽減でき、低騒音にすることが可能になる。また、冷却ファン１８の排気経路が２ヶ所に分散され、風路断面が広がって圧力損失が軽減されることから、冷却ファン１８も送風機負荷を軽減でき、低騒音にすることが可能になり、より動作騒音の低い加熱調理器を提供できる。
【００４２】
実施の形態２．
次に、図１及び図１０〜１５を用いて実施の形態２を説明する。実施の形態１とは調理室排気ダクト１０と空気吸引ダクト２０の形状が異なるだけなので、その異なる部分のみを主に説明する。
図１０は実施の形態２に係る加熱調理器の上側の各部品を取り外して示す斜視図である。
実施の形態２においては、調理室排気ダクト１０の上部開口部３２の位置が排気風路１４の上部よりも低い位置になっていることが実施の形態１とは異なる。調理室排気ダクト１０の上部開口部３２に至る垂直部の両側面及びＬ字の内側面と排気風路１４との間に冷却風が通風可能な風路（空間）が形成されていることは実施の形態１と同様である。
【００４３】
図１１は実施の形態２に係る加熱調理器を底面側から見て示す斜視図である。
図１１において、調理室排気ダクト１０に固着された空気吸引ダクト２０の両側面の筐体２の底面側の下部に空気吸込ガイド３３が設けられている。空気吸込ガイド３３は、調理室７とは反対の筐体２の背面側に冷却風吸込口２９が設けられている。また、空気吸引ダクト２０の外気吸込口３０は、実施の形態１と同様に筐体２の底面に設けられた外気取入口１９と密閉状態で接続されている。なお、本実施の形態においては、空気吸込ガイド３３を空気吸引ダクト２０の両側面の筐体２の底面側の下部に設けたことを述べたが、筐体２内の調理室７や基板ケースユニット１５等の配置によっては空気吸込ガイド３３を空気吸引ダクト２０の吸引側の背面に設けるようにしてもよい。
【００４４】
図１２は実施の形態２に係る加熱調理器の調理室の上面及び前面扉を取り外して示す斜視図である。
図１２において、調理室７の背面に固着された調理室排気ダクト１０の垂直部の背面が筐体排気口９近傍まで延びている。その背面は、調理室７からの排気が高温なため、排気が直接筐体２に接触して筐体２の外郭の温度が高温となるのを抑制する断熱効果がある。また、前述の背面は、調理室排気ダクト１０と筐体２の上端間や背面間を係合することを容易にして組立性を向上させるためのものである。
【００４５】
図１３は実施の形態２に係る加熱調理器の排気ダクト及び空気吸引ダクトを組み立てて示す斜視図である。
図１３において、前述した空気吸込ガイド３３は、空気吸引ダクト２０が筐体２の底面に配置されることにより、筐体２の底面とで風路が形成されている。この風路は、調理室７とは反対方向に開口する冷却風吸込口２９から空気吸引ダクト２０の空気吸引ファン２８の吸込口側の空間が密閉状態になっている。このように、筐体２の底面側で調理室７から離れた位置に冷却風吸込口２９を設けることで、筐体２内では比較的に温度の低い冷却風を吸引することができる。
【００４６】
図１４は図１３に示す排気ダクトと空気吸引ダクトを分解した状態の斜視図である。
図１４において、実施の形態１と同様に、調理室排気ダクト１０は、ほぼＬ字状に形成され、調理室７側に延びる水平部とその水平部から上方にＬ字状に折り曲げられた垂直部とからなっている。調理室排気ダクト１０の水平部の底面のうち垂直部の上部開口部３２と対向する部分には、幅方向に延びる長方形状の空気流入口３１が設けられている。調理室７からの空気は、調理室排気ダクト１０の垂直部の上部開口部３２より排出される。
【００４７】
図１５は実施の形態２に係る加熱調理器の側面を切断して示す断面図である。
図１５において、実施の形態１と同様に、調理室排気ダクト１０の垂直部の上部側の両側面及びＬ字の内側面と排気風路１４の内面との間に冷却風が通風可能な風路（空間）が形成されている。その風路は、筐体排気口９の下方にて調理室排気ダクト１０の上部開口部３２と合流している。調理室７には、壁面や前面扉等に適度の開口（図示せず）が設けられており、調理室７に圧力損失が少なく外気を流入することができ、排気を妨げることはない。
【００４８】
次に、本実施の形態の加熱調理器の動作について説明する。なお、ここでは、実施の形態１と異なる部分について説明する。
先ず、調理室７内の排気の流れについて説明する。
調理室７内の空気の吸引・排気は２ヶ所に設けられた空気エゼクタが機能することにより行われる。
一つ目は、実施の形態１と同様に冷却風を調理室排気ダクト１０内の空気の誘引流体として利用している。排気風路１４内に調理室排気ダクト１０の垂直部の一部が挿入されて形成された風路がほぼスリット状のノズルと見なすことができる。つまり、その風路に流入した冷却風は、調理室排気ダクト１０の上部開口部３２の周囲で噴流し筐体排気口９から排出される。この時、調理室排気ダクト１０内の空気がその噴流により誘引され、冷却風と共に排出される。
【００４９】
実施の形態１においては、調理室排気ダクト１０の上部開口部３２と排気風路１４は、ほぼ同じ高さで、各上部が筐体２の筐体排気口９に近接して筐体２外の開放空間に近く、筐体２外（室内空間）を流れる気流等の外乱の影響を受けやすい。一方、本実施形態においては、調理室排気ダクト１０の上部開口部３２が排気風路１４内であることから外乱の影響を受け難く、外周ノズル型のエゼクタに近い構成とすることができる。そのため、調理室排気ダクト１０内の空気の誘引能力(風量)を高くすることができる。
【００５０】
二つ目は、実施の形態１と同様に空気吸引ファン２８から送出された空気を調理室排気ダクト１０内の空気の誘引流体として利用している。その空気を調理室排気ダクト１０の空気流入口３１から調理室排気ダクト１０内で上部開口部３２に向けて噴出させることで、空気流入口３１がスリット状のノズルとして機能する。調理室排気ダクト１０内に噴流を起こすことで空気エゼクタとして機能し、調理室排気ダクト１０の水平部内の空気を介して調理室７内の空気が誘引される。
【００５１】
空気流入口３１がスリット状のノズルであることから、空気を通過させるには相応の圧力が必要となり、空気吸引ダクト２０の吹出口２０ａから空気流入口３１に至る風路は、一定の気密性が保たれるように調理室排気ダクト１０と空気吸引ダクト２０が接合されている。送出された誘引流体である空気が拡散して空気流入口３１に十分に流入せず、エゼクタの性能が低下して必要な誘引風量が得られないことが無いよう構成されていることも実施の形態１と同様である。
【００５２】
また、空気吸引ファン２８に吸引される空気は、空気吸引ダクト２０の両側面に設けられた空気吸込ガイド３３の冷却風吸込口２９から吸引される筐体２内の冷却風と、筐体２の底面に設けられた外気取入口１９から吸引される筐体２外の外気とが混合される。冷却風吸込口２９からの吸引は、冷却ファン１８により筐体２内の圧力が上昇していることにより、筐体２外から吸引する場合と比べ空気吸引ファン２８の送風機負荷を低減できるメリットがある。一方、筐体２内の冷却風の温度は高く空気吸引ファン２８に高い耐熱性が求められることや、寿命・信頼性の面でデメリットとなる。
【００５３】
本実施の形態においては、空気吸込ガイド３３の冷却風吸込口２９を筐体２の底面近傍に配置し、さらに、その冷却風吸込口２９を空気吸込ガイド３３を介在させて調理室７から離すようにしている。空気吸込ガイド３３が無い状態では、実施の形態１のように空気吸引ファン２８の配置により、その吸込側の空間の配置は限定されてしまい冷却風吸込口２９を調理室７から離すにも限度があり実施の形態１のような配置となってしまう。一方、本実施の形態においては、空気吸込ガイド３３により、空気吸引ファン２８の配置によらず、冷却風吸込口２９を調理室７から離すことを可能としている。
【００５４】
また、空気吸込ガイド３３により、冷却風吸込口２９の吸込み方向を調理室７が配置された側とは反対方向としている。これも実施の形態１のように単に風路開口を設ける場合は方向は限定されてしまうが、空気吸込ガイド３３により、吸込方向を所定の方向にできると共に、風路の曲げ部にＲ形状を設けることで、圧力損失の少ないスムーズな吸込みを可能としている。これらにより、同じ筐体２内でも温度の低い傾向にある下層で、なおかつ、動作の際は高温となる調理室７から離れた位置にて調理室７とは反対方向から吸込むことにより、吸込む冷却風の温度は筐体２内では比較的低い温度となっている。
【００５５】
空気吸込ガイド３３の冷却風吸込口２９からの吸引は、筐体２内からと比べ空気吸引ファン２８の送風機負荷は高くなるデメリットはあるが、筐体２内と比べ吸引される空気の温度は低くなり、空気吸引ファン２８の耐熱性を低くできることや、寿命・信頼性の面でメリットとなる。
【００５６】
空気吸込ガイド３３の冷却風吸込口２９と筐体２の外気取入口１９の開口面積を所定の比率（本実施の形態においては１：３〜１：６）として混合して吸引することにより、空気吸引ファン２８を低コストの低い耐熱温度のものが使用可能な温度にすることができる。また、冷却ファン１８の圧力を利用して空気吸引ファン２８の送風機負荷を軽減している。
【００５７】
以上のように実施の形態２によれば、吹出口２０ａと空気流入口３１とが密閉状態で接続されるように空気吸引ダクト２０と調理室排気ダクト１０とが接合されている。これにより、空気吸引ファン２８から送出される誘引流体としての空気が筐体２内に拡散することなく空気流入口３１から調理室排気ダクト１０内に噴出させることができる。そのため、空気吸引ファン２８による送風を無駄なく行うことが可能になり、送風機負荷を低減でき、送風機騒音を下げることができ、動作騒音の低い加熱調理器を提供できる。
【００５８】
また、空気吸引ファン２８により吸引される空気が、空気吸引ダクト２０に設けられた冷却風吸込口２９に流入する筐体２内の冷却風と外気吸込口３０に流入する筐体２外の外気とが混合されたものである。そのため、空気吸引ファン２８を耐熱温度の低い低コストのものを使用できる。また、冷却ファン１８の送風によって圧力の加わった冷却風が冷却風吸込口２９に流入するようにしているので、空気吸引ファン２８の送風機負荷を軽減でき低騒音にすることが可能になる。そのため、製品コストを抑えることができ、動作騒音の低い加熱調理器を提供できる。
【００５９】
また、空気吸引ダクト２０の冷却風吸込口２９を筐体２の底面近傍に設けたので、冷却風吸込口２９から吸込む空気（冷却風）の温度を低くすることができ、低コストの空気吸引ファン２８の使用温度内において、冷却風吸込口２９から吸込む空気の比率を増やすことができる。また、冷却ファン１８の冷却風の送風による圧力を利用可能となり、さらに、空気吸引ファン２８の送風機負荷を軽減でき、低騒音とすることが可能になり、より動作騒音の低い加熱調理器を提供できる。
【００６０】
また、空気吸込ガイド３３の冷却風吸込口２９を調理室７側とは反対の方向に設けたことにより、その冷却風吸込口２９から吸込む空気（冷却風）の温度を低くすることができる。また、低コストの空気吸引ファン２８の使用温度内において、冷却風吸込口２９から吸込む空気の比率を増やすことができ、より冷却ファン１８の冷却風の送風による圧力を利用可能となる。さらに、空気吸引ファン２８の送風機負荷を軽減でき、低騒音とすることが可能になり、より動作騒音の低い加熱調理器を提供できる。
【００６１】
また、空気吸引ダクト２０の冷却風吸込口２９と外気取入口１９の開口面積の比を１：３〜１：６としたので、冷却風吸込口２９からの吸気風量と外気取入口１９からの吸気風量の混合比率を最適化でき、低コストの空気吸引ファン２８の使用温度内において、冷却風吸込口２９から吸込む空気の比率を最も増やすことができる。そのため、冷却ファン１８の冷却風の送風による圧力をより有効に利用できる。さらに、空気吸引ファン２８の送風機負荷を軽減でき、低騒音とすることが可能になり、より動作騒音の低い加熱調理器を提供できる。
【００６２】
また、調理室排気ダクト１０と排気風路１４との間に形成された風路に冷却風が流れ込んで上方に噴出されるようにしたので、冷却風が誘引流体となり空気エゼクタの効果で調理室排気ダクト１０内の空気を誘引し、調理室排気ダクト１０の排気がアシストされる。そのため、空気吸引ファン２８から送出される空気を誘引流体とした調理室排気ダクト１０内での空気エゼクタの効果による誘引能力を低くできる。また、空気吸引ファン２８の風量を減らせ、送風機負荷を軽減でき、低騒音とすることが可能になり、より動作騒音の低い加熱調理器を提供できる。
【００６３】
また、調理室排気ダクト１０の上部開口部３２の位置を排気風路１４の上部より低くすることにより、排気風路１４内にて上部開口部３２のほぼ上方で噴流が形成される。さらには、筐体２外の気流等の外乱が軽減されることや、エゼクタの基本的な構成に近い構成とすることができる。これらにより、エゼクタの効果による吸引能力が向上し、調理室排気ダクト１０の排気のアシストがさらに向上して、空気吸引ファン２８から空気流入口３１への送風による調理室排気ダクト１０内でのエゼクタ効果による誘引能力を低くすることができる。そのため、空気吸引ファン２８の風量を減らせ、送風機負荷を軽減でき、低騒音にすることが可能になり、より動作騒音の低い加熱調理器を提供できる。
【００６４】
さらに、調理室排気ダクト１０と排気風路１４との間の風路に筐体２内の冷却風を通過させてその冷却風を調理室排気ダクト１０内の空気の誘引流体としている。また、空気吸引ダクト２０の冷却風吸込口２９に流入する筐体２内の冷却風と外気吸込口３０に流入する筐体２外の外気との混合空気を調理室排気ダクト１０内の空気の誘引流体として使用している。これらにより、より空気吸引ファン２８の送風機負荷を軽減でき、低騒音にすることが可能になる。また、冷却ファン１８の排気経路が２ヶ所に分散され、風路断面が広がって圧力損失が軽減されることから、冷却ファン１８も送風機負荷を軽減でき、低騒音にすることが可能になり、より動作騒音の低い加熱調理器を提供できる。
【符号の説明】
【００６５】
１  本体、２  筐体、３  筐体上面部、４  トッププレート、５  吸排気口カバー、６  操作部、７  調理室、８  筐体吸気口、９  筐体排気口、１０  調理室排気ダクト、１１  誘導加熱コイルユニット、１２  電子回路基板、１３  ラジエントヒーター、１４  排気風路、１５  基板ケースユニット、１６  チャンバ、１７  吹出口、１８  冷却ファン、１９  外気取入口、２０  空気吸引ダクト、２１  上シーズヒーター、２２  調理台、２３  下シーズヒーター、２４  受け皿、２５  調理室排気口、２６  シーズヒーター、２７  フィルター、２８  空気吸引ファン、２９  冷却風吸込口、３０  外気吸込口、３１  空気流入口、３２  上部開口部、３３  空気吸込ガイド。
【図１】
0005420012.tif 000002
【図２】
0005420012.tif 000003
【図３】
0005420012.tif 000004
【図４】
0005420012.tif 000005
【図５】
0005420012.tif 000006
【図６】
0005420012.tif 000007
【図７】
0005420012.tif 000008
【図８】
0005420012.tif 000009
【図９】
0005420012.tif 000010
【図１０】
0005420012.tif 000011
【図１１】
0005420012.tif 000012
【図１２】
0005420012.tif 000013
【図１３】
0005420012.tif 000014
【図１４】
0005420012.tif 000015
【図１５】
0005420012.tif 000016